(57)【特許請求の範囲】
【請求項１】
複数種のフォントのフォントデータを記憶する記憶部と、
前記記憶部に記憶されたフォントデータを用いて、画面、画像を表示し、予め定められたメッセージ表示領域に文字、記号、数字を用いてメッセージを表示する表示部と、
前記表示部に対して設けられ、使用者の入力を受け付け、タッチされた位置を検知するタッチパネル部と、を含み、
前記タッチパネル部が前記メッセージ表示領域の表示位置へのタッチを検知した後、予め定められたフォント切換操作がなされたことを検知したとき、
前記表示部は前記記憶部に記憶されたフォントデータに基づき、予め定められた順番に従い、表示に用いるフォントの種類を切り換え、また、複数の前記メッセージ表示領域を表示し、前記フォント切換操作がなされたとき、タッチされた位置に表示された前記メッセージ表示領域のフォントサイズ以下のフォントサイズでメッセージを表示している前記メッセージ表示領域のフォントの種類を切り換えることを特徴とする表示入力装置。
【請求項２】
複数種のフォントのフォントデータを記憶する記憶部と、
前記記憶部に記憶されたフォントデータを用いて、画面、画像を表示し、予め定められたメッセージ表示領域に文字、記号、数字を用いてメッセージを表示する表示部と、
前記表示部に対して設けられ、使用者の入力を受け付け、タッチされた位置を検知するタッチパネル部と、
前記タッチパネル部をタッチしたまま指を動かすフォント切換操作でのタッチされた位置の移動方向を認識する認識部と、を含み、
前記タッチパネル部が前記メッセージ表示領域の表示位置へのタッチを検知した後、前記フォント切換操作を検知したとき、
前記表示部は前記記憶部に記憶されたフォントデータに基づき、予め定められた順番に従い、表示に用いるフォントの種類を切り換え、また、複数の前記メッセージ表示領域を表示し、前記認識部により認識された方向が予め定められた第１方向のとき、タッチされた位置に表示された前記メッセージ表示領域のフォントサイズ以下のフォントサイズでメッセージを表示している前記メッセージ表示領域のフォントの種類を切り換え、前記認識部により認識された方向が予め定められた第２方向のとき、表示している複数の前記メッセージ表示領域のうち、タッチされた位置に表示された前記メッセージ表示領域のみ、表示に用いるフォントの種類を切り換えることを特徴とする表示入力装置。
【請求項３】
前記記憶部はドットの組み合わせで文字が表現されたフォントである第１フォントのフォントデータと、形状を線の情報として持つフォントである第２フォントのフォントデータを記憶し、
前記表示部は、タッチされた前記メッセージ表示領域でのフォントの表示サイズが予め定められたフォントサイズよりも小さいとき、表示に用いるフォントを前記第１フォントに切り換え、タッチされた前記メッセージ表示領域でのフォントの表示サイズが予め定められたフォントサイズ以上であるとき、表示に用いるフォントを前記第２フォントに切り換えることを特徴とする請求項１又は２に記載の表示入力装置。
【請求項４】
請求項１乃至３のいずれか１項に記載の表示入力装置を含むことを特徴とする画像形成装置。
【発明の詳細な説明】
【技術分野】
【０００１】
本発明は文字等を表示する表示部やタッチパネル部を有する表示入力装置、及び、これを備えた画像形成装置に関する。
【背景技術】
【０００２】
タッチパネルと組み合わされた表示パネルは通常、文字等を表示する。このようなタッチパネル付きのパネルを用いて、文章を作成できるようにすることがある。そして、文章作成機能付きの表示装置では、作成した文書にアクセントをつけたり、一部を強調したりすることができるものがある。このような文字表示装置の一例が特許文献１に記載されている。
【０００３】
具体的に、特許文献１には、複数の文字を表示画面に表示する表示手段、所望する文字表示位置に対する指示操作とその指示された文字表示位置の同一位置に対する指示操作回数を検出する検出手段と、指示操作回数に応じて文字表示形態（文字の拡大、縮小やアンダーラインや網掛け等）の種類を選択する選択手段と、指示された文字表示位置の文字の文字表示形態を選択された種類の文字表示形態に変更して表示する手段と、を有する文字表示装置が記載されている。従来では、文字の表現形態を変える際、面倒なキー操作やカーソル移動キーの操作による操作ミスがあったので、所望の文字の表現形態を簡単に変更できるようにしようとしている（特許文献１：請求項１、段落［０００３］等参照）。なお、特許文献１での文字表示装置が具体的にどのような製品であるかは不明ではあるが、ワープロのような装置と考えられる。
【先行技術文献】
【特許文献】
【０００４】
【特許文献１】特開平９−１７１４３５号公報
【発明の概要】
【発明が解決しようとする課題】
【０００５】
例えば、複写機、複合機、プリンター、ＦＡＸ装置等の画像形成装置にも、表示を行うパネルとタッチパネルの組み合わせを含む操作パネルが設けられる。そして、画像形成装置の操作パネルの表示部は設定用の画面や画像を表示する。又、設定内容や、機能設定の説明や、画像形成装置の状態などを使用者に認識させるため、操作パネルの表示部は文字、数字、記号などからなるメッセージを１画面中に１又は複数表示する。
【０００６】
画像形成装置の操作パネルの表示部で表示される文字、数字、記号のフォント（書体）は従来固定である。従って、使用者は表示部に表示される文字等を所望のフォントに自由に変えることができない。そのため、使用者にとって見やすいフォントでメッセージ等を表示させることができない。又、例えば、フォントが太目であるとき、隣り合う文字が重なったり、１文字を構成する線同士が重なったりして、見づらい場合がある。このような場合でもフォントを切り換えることができないという問題がある。
【０００７】
尚、特許文献１をみると、特許文献１記載の技術は、文字の表現形態を変更するものであり、フォント（書体）を変えるものではない。又、特許文献１記載の発明では文字の大きさを拡大できるので、文字の大きさを拡大することにより、文字列を見やすくなる場合がある。しかし、画像形成装置の表示部では、メッセージごとに表示される領域が割り当てられる。そして、割り当てられた領域内で領域からメッセージがはみ出したり、メッセージの一部が消えたり、文字同士が重なったりすることなく、メッセージの全体を表示しきる必要がある。従って、特許文献１記載の技術のように無制限に文字を拡大できるとは限らず、又、拡大したからといって見やすくなるとは限らず、特許文献１記載の技術では実用的な面から見て表示部の見やすさを向上できないという問題がある。
【０００８】
本発明は上記の問題点に鑑み、フォントを直感的で簡易な操作により切り換えられるようにし、表示部での表示を見やすくし表示入力装置を使いやすくすることを課題とする。
【課題を解決するための手段】
【０００９】
上記課題解決のため請求項１に係る表示入力装置は、  複数種のフォントのフォントデータを記憶する記憶部と、前記記憶部に記憶されたフォントデータを用いて、画面、画像を表示し、予め定められたメッセージ表示領域に文字、記号、数字を用いてメッセージを表示する表示部と、前記表示部に対して設けられ、使用者の入力を受け付け、タッチされた位置を検知するタッチパネル部と、を含み、前記タッチパネル部が前記メッセージ表示領域の表示位置へのタッチを検知した後、予め定められたフォント切換操作がなされたことを検知したとき、前記表示部は前記記憶部に記憶されたフォントデータに基づき、予め定められた順番に従い、表示に用いるフォントの種類を切り換えることとした。
【００１０】
この構成によれば、タッチパネル部が表示部のうちメッセージ表示領域の表示位置へのタッチを検知した後、予め定められたフォント切換操作がなされたことを検知したとき、表示部は記憶部に記憶されたフォントデータに基づき、予め定められた順番に従い、表示に用いるフォントの種類を切り換えることとした。これにより、使用者はメッセージに用いられる文字、数字、記号のフォントを所望のフォントに切り換えることができる。又、メッセージが確認しづらい場合でもフォントを切り換えることにより、文字、数字、記号のサイズを変えること無く、メッセージを読みやすくすることができる（例えば太目から細目のフォントへの切換）。メッセージ表示領域をタッチし、更にタッチを行うだけで直感的、簡易にフォントの切換を行うことができる。
【００１１】
ここで、メッセージ表示領域は文字、数字、記号などを組み合わせ、使用者に対して情報を伝達するためのメッセージを表示する領域である。状態を知らせる文字列が表示される領域や、設定値を示す文字列が表示される領域や、設定に用いるキーやボタンやタブを示す領域や、説明文章が表示される領域などをメッセージ表示領域として扱うことができる。
【００１２】
又、請求項３に係る発明は、請求項１又は２の発明において、前記記憶部はドットの組み合わせで文字が表現されたフォントである第１フォントのフォントデータと、形状を線の情報として持つフォントである第２フォントのフォントデータを記憶し、前記表示部は、タッチされた前記メッセージ表示領域でのフォントの表示サイズが予め定められたフォントサイズよりも小さいとき、表示に用いるフォントを前記第１フォントに切り換え、タッチされた前記メッセージ表示領域でのフォントの表示サイズが予め定められたフォントサイズ以上であるとき、表示に用いるフォントを前記第２フォントに切り換えることとした。
【００１３】
この構成によれば、表示部は、タッチされたメッセージ表示領域でのフォントの表示サイズが予め定められたフォントサイズよりも小さいとき、表示に用いるフォントを第１フォントに切り換え、タッチされたメッセージ表示領域でのフォントの表示サイズが予め定められたフォントサイズ以上であるとき、表示に用いるフォントを第２フォントに切り換える。これにより、文字のサイズが大きくなるとジャギが目立ちやすい第１フォントと文字が小さいとぼやけやすい第２フォントを、予め定められたフォントサイズを基準とし、フォントのメリットが生かされるように使い分けることができる。従って、切り換え後のフォントには見やすいフォントが用いられ、メッセージを見やすくすることができる。
【００１４】
尚、「予め定められたサイズ」は第１フォントで表示した場合、ジャギが目立つか否かと、第２フォントで表示した場合ぼやけて表示されるか否かの観点から定めることができる。例えば、予め定められたサイズは第１フォントで表示した場合、ジャギが目立たず、第２フォントで表示した場合ぼやけないサイズの範囲内とされる。
【００１５】
ここで、請求項１に係る発明では、前記表示部は複数の前記メッセージ表示領域を表示し、前記フォント切換操作がなされたとき、タッチされた位置に表示された前記メッセージ表示領域のフォントサイズ以下のフォントサイズでメッセージを表示している前記メッセージ表示領域のフォントの種類を切り換えることとした。
【００１６】
この構成によれば、表示部は複数のメッセージ表示領域を表示し、フォント切換操作がなされたとき、タッチされた位置に表示されたメッセージ表示領域のフォントサイズ以下のフォントサイズでメッセージを表示しているメッセージ表示領域のフォントの種類を切り換える。これにより、フォントを切り換えるメッセージと同等以下のサイズの他のメッセージもあわせてフォントを切り換えることができる。従って、メッセージのサイズを基準としてフォントを変えるメッセージ表示領域と変えないメッセージ表示領域を選択することができる。
【００１９】
ここで、請求項２に係る発明では、前記フォント切換操作は前記タッチパネル部をタッチしたまま指を動かす操作であり、前記フォント切換操作でのタッチされた位置の移動方向を認識する認識部を含み、前記表示部は複数の前記メッセージ表示領域を表示し、前記認識部により認識された方向が予め定められた第１方向のとき、タッチされた位置に表示された前記メッセージ表示領域のフォントサイズ以下のフォントサイズでメッセージを表示している前記メッセージ表示領域のフォントの種類を切り換え、前記認識部により認識された方向が予め定められた第２方向のとき、表示している複数の前記メッセージ表示領域のうち、タッチされた位置に表示された前記メッセージ表示領域のみ、表示に用いるフォントの種類を切り換えることとした。
【００２０】
この構成によれば、表示部は複数のメッセージ表示領域を表示し、認識部により認識された方向が予め定められた第１方向（例えば、上下方向）のとき、タッチされた位置に表示されたメッセージ表示領域のフォントサイズ以下のフォントサイズでメッセージを表示しているメッセージ表示領域のフォントの種類を切り換え、認識部により認識された方向が予め定められた第２方向（例えば、左右方向）のとき、表示している複数のメッセージ表示領域のうち、タッチされた位置に表示されたメッセージ表示領域のみ、表示に用いるフォントの種類を切り換える。これにより、タッチしたまま指を動かす操作を動かす方向により、フォントを切り換えるメッセージ表示領域を任意に選択することができる。
【００２３】
又、請求項４に係る画像形成装置は、請求項１乃至３のいずれか１項に記載の表示入力装置を含むこととした。
【００２４】
この構成によれば、画像形成装置はフォントを直感的で簡易な操作により切り換えられる表示入力装置を含む。従って、使いやすい画像形成装置を提供することができる。
【発明の効果】
【００２５】
上述のように、本発明によれば、フォントを直感的で簡易な操作により切り換えられるようにし、表示部での表示を見やすくすることで、使いやすい表示入力装置、画像形成装置を提供することができる。
【図面の簡単な説明】
【００２６】
【図１】複合機の一例を示す正面模型的断面図である。
【図２】操作パネルの一例を示す平面図である。
【図３】複合機や操作パネルのハードウェア構成の一例を示すブロック図である。
【図４】コピー機能の初期設定画面の一例を示す説明図である。
【図５】初期設定画面内に設けられたメッセージ表示領域の一例を示す説明図である。
【図６】フォントを切り換えるメッセージ表示領域を選択する操作の一例を示す説明図である。
【図７】フォントを切り換えるメッセージ表示領域を選択するためのフォント切換対象選択画面の一例を示す説明図である。
【図８】タッチされたメッセージ表示領域と同等以下のフォントサイズのメッセージ表示領域のフォントを切り換えたときの表示例の一例を示す説明図である。
【図９】タッチされたメッセージ表示領域のみのフォントを切り換えたときの表示例の一例を示す説明図である。
【図１０】全てのメッセージ表示領域のフォントを切り換えたときの表示例の一例を示す説明図である。
【図１１】フォントの切り換え順を示す切り換え順データの一例を示す説明図である。
【図１２】フォントの切り換えの流れの一例を示すフローチャートである。
【発明を実施するための形態】
【００２７】
以下、図１〜図１２を用い、実施形態を説明する。以下では、操作パネル１（表示入力装置に相当）を含む複合機１００（画像形成装置に相当）を例に挙げ説明する。但し、本実施の形態に記載されている構成、配置等の各要素は、発明の範囲を限定せず、単なる説明例にすぎない。
【００２８】
（画像形成装置の概略）
まず、図１を用い、実施形態に係る複合機１００の概略を説明する。図１は複合機１００の一例を示す正面模型的断面図である。
【００２９】
図１に示すように、複合機１００の正面前方には、複合機１００に関して各種設定を行うための操作パネル１が設けられる（詳細は後述）。又、図１に示すように、本実施形態の複合機１００は、上部に、画像読取部２ａと原稿搬送部２ｂが設けられ、内部に、給紙部３ａ、搬送部３ｂ、画像形成部４、中間転写部５ａ、定着部５ｂ、排出搬送部３ｃ、両面搬送部３ｄ等を備える。
【００３０】
原稿搬送部２ｂは原稿トレイ２１を有する。コピーやスキャンを行う原稿は原稿トレイ２１に載置される。そして、原稿搬送部２ｂは原稿トレイ２１から原稿を１枚ずつ、自動的に連続して読取位置（送り読取用コンタクトガラス２２）に搬送する。又、原稿搬送部２ｂは図１の紙面奥側を支点として画像読取部２ａに上下方向に開閉自在に取り付けられる。原稿搬送部２ｂは画像読取部２ａのコンタクトガラス（送り読取用コンタクトガラス２２及び載置読取用コンタクトガラス２３）を上方から押さえるカバーとして機能する。
【００３１】
図１に示すように、画像読取部２ａの上面には、送り読取用コンタクトガラス２２と書籍等の原稿を１枚ずつ読み取る際に原稿を載置する載置読取用コンタクトガラス２３が配される。又、画像読取部２ａ内には、ランプ、ミラー、レンズ、イメージセンサー等（不図示）が配される。イメージセンサーは原稿搬送部２ｂが送り読取用コンタクトガラス２２を通過させる原稿、あるいは、載置読取用コンタクトガラス２３に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２ａは、カラーでも読み取り可能であり、白黒でも読み取り可能である。
【００３２】
複合機１００本体内の複数の給紙部３ａはそれぞれ、各サイズ（例えば、Ａ４、Ｂ４等のＡ型、Ｂ型の定型用紙やレターサイズ等）、各種用紙（例えば、コピー用紙、再生紙、厚紙、ＯＨＰシート等）を複数枚収容する。各給紙部３ａはそれぞれ回転駆動する給紙ローラー３１を備え、印刷時、１枚ずつ搬送部３ｂに用紙を送り込む。
【００３３】
搬送部３ｂは給紙部３ａから画像形成部４まで装置内で用紙を搬送する通路である。そして、搬送部３ｂには、用紙の案内のためのガイド板や、用紙搬送時に回転駆動する搬送ローラー対３２（図２おいて、上方から３２ａ、３２ｂ、３２ｃの計３つ）や、搬送される用紙を画像形成部４の手前で待機させ、形成されたトナー像の転写タイミングに合わせ用紙を送り出すレジストローラー対３３等が設けられる。
【００３４】
画像形成部４は複数の画像形成ユニット４０（ブラック用の４０Ｂｋ、イエロー用の４０Ｙ、シアン用の４０Ｃ、マゼンタ用の４０Ｍ）と露光装置４１を含む。画像形成ユニット４０は回転駆動可能に支持された感光体ドラムや、感光体ドラムの周囲に配設された帯電装置、現像装置、清掃装置等を備える。露光装置４１は画像読取部２ａで読み取られた画像データや後述の記憶装置６２（記憶部に相当）に記憶される画像データ等に基づき、レーザ光を点消灯しつつ出力し、各感光体ドラムを走査露光する。そして、各画像形成ユニット４０と露光装置４１により、各感光体ドラムの周面上にトナー像が形成される。
【００３５】
中間転写部５ａは各画像形成ユニット４０からトナー像の１次転写を受け、シートに２次転写を行う。中間転写部５ａは、各１次転写ローラー５１Ｂｋ〜５１Ｍ、中間転写ベルト５２、駆動ローラー５３、複数の従動ローラー５４（５４ａ〜５４ｃ）、２次転写ローラー５５、ベルト清掃装置５６等を含む。中間転写ベルト５２は、駆動ローラー５３等に張架され、モータ等の駆動機構（不図示）に接続される駆動ローラー５３の回転駆動により周回する。そして、各１次転写ローラー５１Ｂｋ〜５１Ｍには、転写用電圧が印加され、各感光体ドラムのトナー像は中間転写ベルト５２に転写される。ずれなくトナー像を重畳して中間転写ベルト５２に１次転写した後、所定の電圧を印加された２次転写ローラー５５により、シートにトナー像が転写される。
【００３６】
定着部５ｂは用紙に転写されたトナー像を定着させる。定着部５ｂは発熱体を内蔵する加熱ローラー５７とこれに圧接する加圧ローラー５８を含む。そして、用紙が加熱ローラー５７と加圧ローラー５８のニップを通過すると、トナーが溶融・加熱され、トナー像が用紙に定着する。定着部５ｂから排出された用紙は、排出トレイ３４方向に送られる。
【００３７】
排出搬送部３ｃは印刷済の用紙を排出トレイ３４方向又は両面搬送部３ｄの方向に用紙搬送方向を仕分ける。そして、排出搬送部３ｃは正回転方向に回転駆動して排出トレイ３４の方向に送り出す、或いは、両面印刷のため逆回転しスイッチバックを行う排出ローラー対３５を有する。又、排出搬送部３ｃは、用紙の搬送方向を切り換えるため、切換弁３６を有する。切換弁３６は回動する。切換弁３６は、両面搬送部３ｄを閉じて用紙を排出トレイ３４方向に導く位置を基本位置とし、両面印刷の際、回動してスイッチバックされた片面印刷済みの用紙を両面搬送部３ｄに導く。両面搬送部３ｄは、定着部５ｂの下流側とレジストローラー対３３の上流側とを結ぶ。両面搬送部３ｄには、両面印刷のため、回転駆動する複数の両面搬送ローラー対３７〜３９が設けられ、片面印刷済の用紙が搬送される。
【００３８】
（操作パネル１）
次に、図２を用いて、実施形態に係る操作パネル１の一例を説明する。図２は操作パネル１の一例を示す平面図である。
【００３９】
図１に示すように、操作パネル１は複合機１００の正面上方に設けられる。そして、操作パネル１は表示部１１、タッチパネル部１２、ハードキー（例えば、数字入力用のテンキー部１３やコピー等の処理開始指示用のスタートキー１４等）を含む。
【００４０】
例えば、表示部１１は液晶表示パネルである。表示部１１は有機ＥＬパネルなど他種の表示パネルでもよい。表示部１１は複合機１００の設定を行うためのメニューやキーを表示する。使用者は、表示部１１に表示されたキーを指定して、複合機１００の各種設定を入力できる。又、表示部１１は複合機１００等の状態メッセージ等の各種画像、画面を表示する。
【００４１】
又、表示部１１の上面にタッチパネル部１２が設けられる。タッチパネル部１２は使用者がタッチした位置、座標を検知する。キーの表示位置とタッチされた位置を比較することで、使用者が指定するキーが特定され、使用者の入力が受け付けられる。
【００４２】
タッチパネル部１２は同時にタッチされた複数の位置を認識できる。そのため、タッチパネル部１２には投影型の静電容量方式のタッチパネルを用いることができる。尚、同時にタッチされた複数の位置を認識できればよく、必ずしも、タッチパネル部１２は静電容量方式のものに限られない。
【００４３】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００４４】
まず、複合機１００本体内には、主制御部６が設けられる。例えば、主制御部６は操作パネル１、原稿搬送部２ｂ、画像読取部２ａ、給紙部３ａ、搬送部３ｂ、画像形成部４、定着部５ｂ、排出搬送部３ｃ等と接続され、これらの制御を行う。
【００４５】
例えば、主制御部６はＣＰＵ６１等の制御を行う素子を含む。ＣＰＵ６１は記憶装置６２に格納され、展開される制御プログラムに基づき演算等を行い、複合機１００の各部を制御する。尚、主制御部６は全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を主制御部６としてまとめた形態を示し、説明する。
【００４６】
記憶装置６２は主制御部６と接続される。記憶装置６２はＲＯＭ、ＲＡＭ、ＨＤＤ等の不揮発性と揮発性の装置を組み合わせたものである。記憶装置６２は複合機１００の制御用プログラム、制御用データ、設定データ、画像データ等の各種データを記憶できる。
【００４７】
そして、主制御部６は各種コネクタ、ソケットやＦＡＸモデム等を備えたインターフェイス部（以下、通信部６３）と接続される。通信部６３はネットワークや公衆回線等により複数の外部のコンピューター２００（例えば、パーソナルコンピューターやサーバー）や相手方ＦＡＸ装置３００（図６では、いずれも便宜上１つのみ図示）と接続される。例えば、画像読取部２ａで得られた画像データを記憶装置６２に記憶させることや（ボックス機能）、外部のコンピューター２００や相手方ＦＡＸ装置３００に送信することができる（スキャナ機能、ＦＡＸ機能）。又、外部のコンピューター２００や相手方ＦＡＸ装置３００から送信され、複合機１００に入力される画像データに基づき印刷、ＦＡＸ送信等を行うこともできる（プリンター機能、ＦＡＸ機能）。
【００４８】
又、例えば、主制御部６には、画像読取部２ａで原稿を読み取って得られた画像データや通信部６３を介して複合機１００に入力された画像データに対し、画像処理を施す画像処理部６４が設けられる。例えば、画像処理部６４が処理した画像データは露光装置４１に送信され、感光体ドラムの走査・露光に用いられたり、記憶装置６２に記憶されたりする。
【００４９】
又、主制御部６は、操作パネル１になされた入力を認識し、使用者の設定にあわせてコピーやスキャンなどのジョブが行われるように複合機１００を制御する。本実施形態の操作パネル１はパネル制御部１０（認識部に相当）、表示部１１、タッチパネル部１２、ハードキー（例えば、テンキー部１３やスタートキー１４）、メモリー１５（記憶部に相当）、ドライバー回路１６、等を含む。パネル制御部１０はＣＰＵやＩＣ等で構成される。パネル制御部１０は表示部１１の表示を制御し、タッチパネル部１２の出力を受け、タッチされた位置（座標）を特定する。タッチパネル部１２の出力と位置（座標）の対応を示すテーブル等のデータは、メモリー１５に記憶される。メモリー１５はＲＯＭやＲＡＭを含む。パネル制御部１０はタッチ位置とタッチされたときの表示部１１が表示していた画面の画像データを比較し、タッチされた位置に表示されていたキーを認識する。これにより、パネル制御部１０は使用者により指定されたキーを認識する。
【００５０】
そして、表示部１１で表示される画面、画像の画像データは、例えば、操作パネル１内のメモリー１５が記憶する。従って、パネル制御部１０はタッチされた位置に表示されたキーに応じ、次に表示すべき画面や画像の画像データをメモリー１５から読み出す。
【００５１】
又、表示部１１は文字、数字、記号等によりメッセージをメッセージ表示領域８に表示する。メモリー１５は表示部１１がメッセージを表示するうえで用いるフォントのデータであるフォントデータ１５０を記憶する。又、フォントデータ１５０には複数種のフォントのデータが含まれる。これにより、表示部１１はメッセージを様々なフォントで表示することができる。パネル制御部１０はメモリー１５に記憶されたフォントデータ１５０を用いて、表示部１１にメッセージを表示させる。
【００５２】
尚、表示部１１が表示する画面、画像の画像データや複数種のフォントのフォントデータ１５０は本体側の記憶装置６２に記憶させてもよい。この場合、操作パネル１は表示部１１で表示を行うための画像データやフォントデータ１５０を、主制御部６を介し記憶装置６２から受ける。いずれにしても、パネル制御部１０は表示部１１の表示を実際に制御するドライバー回路１６（例えば、表示部１１が液晶表示パネルであれは、液晶ドライバーＩＣ）に指示を与え、画像データやフォントデータ１５０に基づき表示部１１に表示を行わせる。尚、操作パネル１には、パネル制御部１０、メモリー１５を設けず、主制御部６の構成（ＣＰＵ６１や記憶装置６２）が、パネル制御部１０やメモリー１５の機能を代用しても良い。
【００５３】
又、タッチパネル部１２にはタッチされた位置を検知するための位置検知部１２１が設けられる。例えば、位置検知部１２１はタッチ位置（タッチされた点の座標）を検知するためのＩＣである。例えば、タッチパネル部１２が静電容量方式で投影型のパネルを含むのであれば、位置検知部１２１はタッチパネル部１２で静電容量の変化を検知し、１又は複数の同時にタッチされた位置を示す信号を出力する。パネル制御部１０は位置検知部１２１の出力に基づき、タッチされた位置を認識する。
【００５４】
（メッセージ表示領域８）
次に、図４、図５を用いて、実施形態に係るメッセージ表示領域８を説明する。図４はコピー機能の初期設定画面７１の一例を示す説明図である。図５は初期設定画面７１内に設けられたメッセージ表示領域８の一例を示す説明図である。
【００５５】
まず、図４を用いて、メッセージ表示領域８を説明に用いるコピー機能の設定画面について説明する。操作パネル１にコピー機能を利用する旨が入力されると、パネル制御部１０は最初に図４に示すようなコピー機能の初期設定画面７１を表示部１１に表示させる。
【００５６】
図４に示すように、例えば、コピー機能の初期設定画面７１には、よく用いられる設定項目の設定を行うための複数の簡単設定キーＫ１〜Ｋ６が設けられる。図４では、「用紙選択」の設定項目の簡単設定キーＫ１や「拡大／縮小」の設定項目の簡単設定キーＫ２等が表示されている例を示している。
【００５７】
又、初期設定画面７１に表示されない設定項目（例えば、枠消しの設定項目や余白の設定項目や読取解像度の設定項目や原稿種類の設定項目など多数）を設定するには、タブの表示位置をタッチする。表示部１１は簡単設定タブＴＢ１に並んで原稿／用紙／仕上げタブＴＢ２や、カラー／画質タブＴＢ３や、レイアウト編集タブＴＢ４や、応用／その他タブＴＢ５やプログラムタブＴＢ６を表示する。それぞれの設定項目はいずれかのタブに予め関連づけられる。タブが表示された位置がタッチされると、パネル制御部１０はタッチされたタブと関連する設定項目を示す設定キーを一覧的に表示した設定画面を表示部１１に表示させる。
【００５８】
例えば、原稿／用紙／仕上げタブＴＢ２が表示された位置がタッチされると、パネル制御部１０は原稿サイズや用紙サイズや、原稿や用紙の向きや、給紙元など、原稿や用紙に関する設定項目を示す設定キーを表示する画面を表示部１１に表示させる。カラー／画質タブＴＢ３が表示された位置がタッチされると、パネル制御部１０は印刷色（カラーかモノクロか等）や、解像度や、各色（ブラック、シアン、マゼンタ、イエロー）の濃淡調整など、色や画質に関する設定項目を示す設定キーを表示する画面を表示部１１に表示させる。又、レイアウト編集タブＴＢ４が表示された位置がタッチされると、パネル制御部１０は集約印刷や両面印刷など、画像の配置や画像データの編集に関する設定項目を示す設定キーを表示する画面を表示部１１に表示させる。又、応用／その他タブＴＢ５が表示された位置がタッチされると、パネル制御部１０は余白の大きさや枠消し処理など、応用的な内容に関する設定項目を示す設定キーを表示する画面を表示部１１に表示させる。
【００５９】
そして、使用者はタブの表示位置をタッチし、その後に表示されたいずれかの設定項目の設定キーの表示位置をタッチし、設定項目を指定する。これにより、パネル制御部１０は指定された設定項目の設定画面を表示する。例えば、集約印刷の設定項目を指定したとき、集約印刷の設定画面では、２ｉｎ１や４ｉｎ１などの設定値や境界線の種別などの設定値を設定することができる。このように、設定画面を切り換えつつ、使用者は所望の設定項目について設定値を設定できる。
【００６０】
尚、コピー機能の設定画面についてのみ説明するが、複合機１００の有する機能（スキャン機能や送信機能、ボックス機能等）毎に設定画面が用意され、パネル制御部１０は用いる機能に応じた設定画面を表示部１１に表示させる。
【００６１】
次に、図５を用いて、設定画面内に設けられるメッセージ表示領域８の一例を説明する。本実施形態のパネル制御部１０は文字、数字、記号からなるメッセージを表示部１１の表示領域内で予め定められたメッセージ表示領域８に表示させる。まず、本実施形態の操作パネル１では、設定画面を切り換えても表示される（固定的に表示される）メッセージ表示領域８ａ（図５〜図１０で１点鎖線で囲まれた領域）とメッセージ表示領域８ｂ（図５〜図１０で２点鎖線で囲まれた領域）が設けられる。
【００６２】
メッセージ表示領域８ａは一定の幅で表示部１１の上縁に沿って設けられる。例えば、メッセージ表示領域８ａ内には、複合機１００の状態に関するメッセージが表示される。メッセージ表示領域８ａに表示するメッセージは予め定められている。例えば、パネル制御部１０は「コピーできます」、「コピー中です」、「エラー発生」などのメッセージをメッセージ表示領域８ａに表示させる。パネル制御部１０は複合機１００の状態に応じ、メッセージ表示領域８ａにメッセージを表示させる。
【００６３】
メッセージ表示領域８ｂは表示部１１の一定の幅で下縁部に沿って設けられる。例えば、メッセージ表示領域８ｂには、複合機１００についての注意や確認すべき内容に関するメッセージが表示される。メッセージ表示領域８ｂに表示するメッセージは予め定められている。例えば、パネル制御部１０は複合機１００の状態に応じ、「トナーが残り少なくなっています」や、「ブラックのトナーコンテナーを交換して下さい」、「用紙を補給して下さい」といったメッセージをメッセージ表示領域８ｂに表示させる。
【００６４】
又、メッセージ表示領域８ａやメッセージ表示領域８ｂ以外にも、表示される画面に応じ、各種メッセージ表示領域８が設けられる。例えば、設定項目の設定を行うための複数の設定キー（図４以下に示すコピー機能の初期設定画面７１では簡単設定キーＫ１〜Ｋ６）や表示を切り換えるためのタブ（図４以下に示すコピー機能の初期設定画面７１ではタブＴＢ１〜ＴＢ６）もメッセージ表示領域８として扱われる。キーやタブに含まれる文字、数字、記号は表示位置がキーやタブであることを示すメッセージとして機能しているためである。更に、各キーやタブを用いて設定された設定値を示す領域（図５〜図１０で、破線で囲う領域）もメッセージ表示領域８として扱われる。尚、図４〜図１０に示すコピー機能の初期設定画面７１には表示されないが、機能や設定項目や設定される設定値に関して説明する記述など、その他の文字、数字、記号で表現される部分もメッセージ表示領域８として扱ってもよい。これらのキーや、タブや、設定された設定値を示す領域や、説明的な記述などは設定画面の種類により異なるので、便宜上、以下の説明では設定項目の設定値や説明的な記述部分を「メッセージ表示領域８ｃ」と符号を付し、キーやボタンやタブに対して「メッセージ表示領域８ｄ」と符号を付す。
【００６５】
尚、以下の説明では、キーや、タブや、設定された設定値を示す領域や、説明的な記述などをメッセージ表示領域８ｃ、８ｄとして扱う例を説明するが、例えば、キーやタブなど、メッセージ表示領域８ｃ、８ｄのうち、一部の種類についてはフォントを変えず、フォントは固定としてもよい。
【００６６】
（フォントの切り換え）
次に、図５〜図１０を用いて、メッセージ表示領域８でのフォントの切り換えを説明する。図６はフォントを切り換えるメッセージ表示領域８を選択する操作の一例を示す説明図である。図７はフォントを切り換えるメッセージ表示領域８を選択するためのフォント切換対象選択画面７２の一例を示す説明図である。図８はタッチされたメッセージ表示領域８と同等以下のフォントサイズのメッセージ表示領域８のフォントを切り換えたときの表示例の一例を示す説明図である。図９はタッチされたメッセージ表示領域８のみのフォントを切り換えたときの表示例の一例を示す説明図である。図１０は全てのメッセージ表示領域８のフォントを切り換えたときの表示例の一例を示す説明図である。
【００６７】
まず、使用者はフォントの切り換えを行いたい場合、キーやボタンやタブ以外のメッセージ表示領域８の表示位置をタッチする。例えば、使用者はメッセージ表示領域８のフォントを切り換えるとき、コピー機能の初期設定画面７１では、メッセージ表示領域８ａ〜８ｃの表示位置をタッチする。一方、パネル制御部１０はキーやボタンやタブの表示位置（コピー機能の初期設定画面７１でのメッセージ表示領域８ｄ）が押された場合、タッチされたキーやボタンやタブに応じて表示部１１に表示を切り換えさせる。
【００６８】
そして、本実施形態の操作パネル１では、図６に示すように、タッチされた指の移動方向に応じて、どのメッセージ表示領域８のフォントを切り換えるかが予め定められている。そのため、パネル制御部１０はタッチパネル部１２の出力に基づき、メッセージ表示領域８ａ〜８ｃをタッチした指の移動方向を認識する。
【００６９】
例えば、パネル制御部１０は最初のタッチされた位置（メッセージ表示領域８ａ〜８ｃのタッチ位置）の座標と移動後のタッチ位置の座標を認識する。そして、パネル制御部１０は２点の座標の縦方向での距離と横方向での距離の長短に基づき、移動方向を認識する。具体的には、パネル制御部１０は最初のタッチ位置と移動後のタッチ位置の２点の横方向の距離と縦方向の距離を比較する。そして、パネル制御部１０は横方向距離の方が長ければ、移動方向は左右方向と判断する。一方、パネル制御部１０は縦方向距離の方が長ければ、移動方向は縦方向と判断する。尚、パネル制御部１０は最初のタッチ位置と移動後のタッチ位置から角度を求め、求めた角度に基づき移動方向（上下左右）を認識してもよい。
【００７０】
そして、本実施形態の操作パネル１では、移動方向が上下方向（第１方向）であるとき、パネル制御部１０は（最初に）タッチされたメッセージ表示領域８のフォントサイズ以下のフォントサイズでメッセージを表示しているメッセージ表示領域８のフォントの種類を表示部１１に切り換えさせる。又、本実施形態の操作パネル１では、移動方向が左右方向（第２方向）であるとき、パネル制御部１０はタッチされたメッセージ表示領域８のみフォントの種類を表示部１１に切り換えさせる。尚、左右方向を第１方向とし、上下方向を第２方向としてもよい。
【００７１】
コピー機能の初期設定画面７１を例にして説明する。まず、コピー機能の初期設定画面７１では、上縁に表示されるメッセージ表示領域８ａのフォントサイズが最も大きい。次に、下縁に表示されるメッセージ表示領域８ｂのフォントサイズが次に大きい。メッセージ表示領域８ｃ、８ｄに表示されるメッセージのフォントサイズはいずれも同じであり、メッセージ表示領域８ａやメッセージ表示領域８ｂよりもフォントサイズは小さい。
【００７２】
そして、以下では、コピー機能の初期設定画面７１で「ふつう」と表示されたメッセージ表示領域８ｃをタッチして、フォントの切り換えを行う例を説明する。まず、図８では、コピー機能の初期設定画面７１で「ふつう」と表示されたメッセージ表示領域８ｃをタッチし、タッチ位置を上下方向で移動させたときのフォントの切り換え後の状態の一例を示している。言い換えると、パネル制御部１０はメッセージ表示領域へのタッチを認識し、タッチ位置が上下方向であると認識すると、タッチされた位置のフォントサイズ以下のメッセージ表示領域８のフォントの種類を表示部１１に切り換えさせる。具体的に、図８はメッセージ表示領域８ｃとメッセージ表示領域８ｄのフォントがゴシック系のフォント（図５参照）から明朝系のフォントに切り換えられた例を示す。
【００７３】
又、コピー機能の初期設定画面７１で「ふつう」と表示されたメッセージ表示領域８（メッセージ表示領域８ｃ）をタッチして、タッチ位置を左右方向で移動させたときのフォントの切り換え後の状態の一例を図９に示している。言い換えると、パネル制御部１０はメッセージ表示領域８ｃへのタッチされたことを認識し、タッチ位置の移動方向が左右方向であると認識すると、タッチされた位置のメッセージ表示領域８のみフォントの種類を表示部１１に切り換えさせる。具体的に、図９は「ふつう」と表示されたメッセージ表示領域８ｃのフォントがゴシック系のフォント（図５参照）からポップ系のフォントに切り換えられた例を示す。
【００７４】
従って、使用者はメッセージ表示領域８の全てのフォントを切り換えたい場合、最もフォントサイズが大きいメッセージ表示領域８をタッチした後、タッチ位置を上下に移動させればよい。
【００７５】
コピー機能の初期設定画面７１で「コピーできます。」と表示され、画面中、フォントサイズが最も大きいメッセージ表示領域８ａをタッチして、タッチ位置を上下方向で移動させたときのフォントの切り換え後の状態の一例を図１０に示している。言い換えると、パネル制御部１０は最大のフォントサイズのメッセージ表示領域８ａへのタッチされたことを認識し、タッチ位置の移動方向が上下方向であると認識する。そして、パネル制御部１０はタッチされた位置のフォントサイズ以下のメッセージ表示領域８（全てのメッセージ表示領域８）のフォントの種類を表示部１１に切り換えさせる。具体的に、図１０はメッセージ表示領域８ａ〜８ｄのフォントがゴシック系のフォント（図５参照）から行書系のフォントに切り換えられた例を示す。
【００７６】
ここで、上記の説明では、フォント切り換えのため、いずれかのメッセージ表示領域８（キーやボタンやタブ以外のメッセージ表示領域８）をタッチし、タッチパネル部１２をタッチしたまま指を移動させた移動方向により、フォントを切り換えるメッセージ表示領域８を選択できる例を説明した。言い換えると、パネル制御部１０はタッチパネル部１２をタッチしたまま指をいずれかの方向に移動させる操作をフォント切換操作と認識する例を説明した。しかし、フォント切り換えのためにメッセージ表示領域８のタッチがあったとき、パネル制御部１０はフォントを切り換えるメッセージ表示領域８を選択するためのフォント切換対象選択画面７２を表示してもよい。
【００７７】
例えば、キーやボタンやタブ以外のメッセージ表示領域８がタッチされた後、ほとんど移動されることなく指がタッチパネル部１２から離されたことをタッチパネル部１２が検知したとき、パネル制御部１０はフォント切換対象選択画面７２を表示部１１に表示させるようにしてもよい。
【００７８】
図７にフォント切換対象選択画面７２の一例を示す。フォント切換対象選択画面７２内には、フォントを切り換えるメッセージ表示領域８の範囲を定めるための範囲設定キー７３が複数設けられる。範囲設定キー７３として、タッチしたメッセージ表示領域８のみをフォント切り換え範囲と定めるための範囲キー７３１や、タッチしたメッセージ表示領域８のフォントサイズ以下のメッセージ表示領域８のフォントの切り換えを選択するための範囲キー７３２や、全てのメッセージ表示領域８のフォントの切り換えを選択するための範囲キー７３３などが設けられる。
【００７９】
使用者は所望の範囲設定キー７３の表示位置をタッチする。そして、複数の範囲設定キー７３のうち、タッチパネル部１２はタッチされた範囲設定キー７３を検知する。パネル制御部１０はタッチされた範囲設定キー７３にて選択されたメッセージ表示領域８のフォントを表示部１１に切り換えさせる。この場合、パネル制御部１０はタッチパネル部１２をタッチした後表示されたフォント切換対象選択画面７２への操作をフォント切換操作と認識する。
【００８０】
（フォントの切り換え順）
次に、図１１を用いて、メッセージ表示領域８でのフォントの切り換え順の一例を説明する。図１１はフォントの切り換え順を示す切り換え順データ１５１の一例を示す説明図である。
【００８１】
本実施形態の操作パネル１ではメッセージ表示領域８のフォントを切り換えることができる。そして、フォントの切り換え順は予め定められる。
【００８２】
まず、操作パネル１のメモリー１５（本体側の記憶装置６２でもよい）は複数種のフォントのフォントデータ１５０を記憶する。そして、パネル制御部１０はメモリー１５や記憶装置６２が記憶するフォントデータ１５０を用いて、表示部１１にメッセージを表示させる。
【００８３】
更に、操作パネル１のメモリー１５（本体側の記憶装置６２でもよい）は図１１に示すようなフォントの切り換え順を示す切り換え順データ１５１を記憶する。上述のように、操作パネル１のメモリー１５や記憶装置６２は切り換え順データ１５１に示されるフォントのデータを記憶している。尚、切り換え順データ１５１は使用者による操作パネル１への入力により、タッチパネル部１２は切り換え順データ１５１の変更を受け付け、メモリー１５や記憶装置６２は入力内容に応じ、切り換え順データ１５１を更新してもよい。
【００８４】
そして、使用者によってメッセージ表示領域８のフォントの切り換える旨の入力があったとき、パネル制御部１０は切り換え順データ１５１を参照して表示部１１にフォントを切り換えさせる。例えば、図１１の例で言えば、タッチされたメッセージ表示領域８のフォントが「○○ゴシック体」であるとき、フォントの切り換え指示がなされると、パネル制御部１０は「□□明朝体」にメッセージのフォントの種類を切り換えさせる。そして、図１１に示すように、最後の順番に到ると、先頭に戻り、フォントの切り換え順は巡回する。
【００８５】
ここで、メモリー１５か記憶装置６２が記憶するフォントの種類は大きく分けて、第１フォントと第２フォントの２種類がある。
【００８６】
まず、第１フォントはドットの組み合わせで文字が表現されたフォントである（例えば、ビットマップフォント）。第１フォントは表示サイズが小さくても文字、数字、記号がつぶれずに表示され、表示サイズが大きくなるほどジャギが目立ちやすくなるという傾向がある。従って、フォントサイズが小さいメッセージには、第１フォントを使うことが好ましい。
【００８７】
一方、第２フォントは文字、数字、記号の形状を線の情報としてもつフォントであり、スケーラブルなフォントである（例えば、アウトラインフォント）。第２フォントは表示サイズが小さいと文字、数字、記号がぼやけて表示され、表示サイズが大きくなってもラインをきれいに表示できるという傾向がある。従って、フォントサイズが大きいメッセージには、第２フォントを使うことが好ましい。
【００８８】
そこで、タッチされたメッセージ表示領域８でのフォントの表示サイズが予め定められたサイズよりも小さいとき、パネル制御部１０はメッセージが第１フォントで表示されるように表示部１１にメッセージの表示に用いるフォントを第１フォントに切り換えさせる。このとき、切り換え順データ１５１の順番から見て、次の順番が第１フォントでない場合（次の順番が第２フォントである場合）、パネル制御部１０は順番をジャンプして、切り換え順データ１５１中、第１フォントでの先頭の順番に定義されたフォント（図１１の例では「○○ゴシック体」）で表示部１１にメッセージを表示させ、表示部１１にフォントを切り換えさせる。尚、タッチされたメッセージ表示領域８でのフォントの表示サイズが予め定められたサイズよりも小さく、切り換え順データ１５１の順番から見て次の順番が第１フォントであれば、パネル制御部１０は順番通りに表示部１１にメッセージの表示に用いるフォントを切り換えさせる。
【００８９】
また、タッチされたメッセージ表示領域８でのフォントの表示サイズが予め定められたサイズ以上であるとき、パネル制御部１０はメッセージが第２フォントで表示されるように表示部１１にメッセージの表示に用いるフォントを第２フォントに切り換えさせる。このとき、切り換え順データ１５１の順番から見て、次の順番が第２フォントでない場合（次の順番が第１フォントである場合）、パネル制御部１０は順番をジャンプして、切り換え順データ１５１中、第２フォントでの先頭の順番に定義されたフォント（図１１の例では「●●ゴシック体」）で表示部１１にメッセージを表示させ、表示部１１にフォントを切り換えさせる。尚、タッチされたメッセージ表示領域８でのフォントの表示サイズが予め定められたサイズ以上であり、切り換え順データ１５１の順番から見て次の順番が第２フォントであれば、パネル制御部１０は順番通りに表示部１１にメッセージの表示に用いるフォントを切り換えさせる。
【００９０】
ここで、「予め定められたサイズ」は第１フォントで表示した場合、ジャギが目立つか否かと、第２フォントで表示した場合ぼやけて表示されるか否かの観点から定めることができる。
【００９１】
（フォントの切り換えの流れ）
次に、図１２を用いて、フォントの切り換えの流れの一例を説明する。図１２はフォントの切り換えの流れの一例を示すフローチャートである。
【００９２】
まず、図１２のスタートは複合機１００、操作パネル１に電源が供給され、操作パネル１を操作できる状態で、設定用のキーやボタンやタブなどのメッセージ表示領域８でないメッセージ表示領域８がタッチされた時点である。
【００９３】
まず、パネル制御部１０はタッチパネル部１２が検知した座標に基づき、フォント切り換えのためにタッチされたメッセージ表示領域８のフォントとフォントのサイズを認識する（ステップ♯１）。そして、指の移動方向やフォント切換対象選択画面７２での操作に基づき、パネル制御部１０は表示部１１に表示されたメッセージ表示領域８のうち、フォントの切り換えを行うメッセージ表示領域８を認識する（ステップ♯２）。具体的には、パネル制御部１０は全てのメッセージ表示領域８のフォントを切り換えるか、フォント切り換えのためにタッチされたメッセージ表示領域８のフォントのみ切り換えるか、フォント切り換えのためにタッチされたメッセージ表示領域８のフォントサイズ以下のフォントサイズのメッセージ表示領域８のフォントを切り換えるかの選択に基づき、フォントを切り換えるメッセージ表示領域８を認識する。
【００９４】
そして、パネル制御部１０はフォント切り換えのためにタッチされたメッセージ表示領域８のフォントサイズが予め定められたサイズ以上であるか否かを認識する（ステップ♯３）。
【００９５】
予め定められたサイズよりも小さいとき（ステップ♯３のＮｏ）、パネル制御部１０はフォントの切り換えを行うメッセージ表示領域８のフォントを第１フォントに切り換えて表示部１１にメッセージを表示させる（ステップ♯４）。一方、予め定められたサイズ以上であるとき（ステップ♯３のＹｅｓ）、パネル制御部１０はフォントの切り換えを行うメッセージ表示領域８のフォントを第２フォントに切り換えて表示部１１にメッセージを表示させる（ステップ♯５）。そして、本フローは終了する。
【００９６】
もし、使用者が切り換え後のフォントを更に切り換えたいならば、メッセージ表示領域８を再びタッチしてフォント切換操作を行えばよい。これにより、パネル制御部１０は切り換え順データ１５１に基づき表示部１１に表示に用いるフォントを順番に切り換えさせる。やがて、使用者にとって好適なフォントで表示部１１の画面が表示される。
【００９７】
このようにして、本実施形態に係る表示入力装置（操作パネル１）は複数種のフォントのフォントデータ１５０を記憶する記憶部（メモリー１５、記憶装置６２）と、記憶部に記憶されたフォントデータ１５０を用いて、画面、画像を表示し、予め定められたメッセージ表示領域８に文字、記号、数字を用いてメッセージを表示する表示部１１と、表示部１１に対して設けられ、使用者の入力を受け付け、タッチされた位置を検知するタッチパネル部１２と、を含み、タッチパネル部１２がメッセージ表示領域８の表示位置へのタッチを検知した後、予め定められたフォント切換操作がなされたことを検知したとき、表示部１１は記憶部に記憶されたフォントデータ１５０に基づき、予め定められた順番に従い、表示に用いるフォントの種類を切り換える。これにより、使用者はメッセージに用いられる文字、数字、記号のフォントを所望のフォントに切り換えることができる。又、メッセージが確認しづらい場合でもフォントを切り換えることにより、文字、数字、記号のサイズを変えること無く、メッセージを読みやすくすることができる（例えば太目から細目のフォントへの切換）。メッセージ表示領域８をタッチし、更にタッチを行うだけで直感的、簡易にフォントの切換を行うことができる。
【００９８】
又、記憶部（メモリー１５、記憶装置６２）はドットの組み合わせで文字が表現されたフォントである第１フォントのフォントデータ１５０と、形状を線の情報として持つフォントである第２フォントのフォントデータ１５０を記憶し、表示部１１は、タッチされたメッセージ表示領域８でのフォントの表示サイズが予め定められたフォントサイズよりも小さいとき、表示に用いるフォントを第１フォントに切り換え、タッチされたメッセージ表示領域８でのフォントの表示サイズが予め定められたフォントサイズ以上であるとき、表示に用いるフォントを第２フォントに切り換える。これにより、文字のサイズが大きくなるとジャギが目立ちやすい第１フォントと文字が小さいとぼやけやすい第２フォントを、予め定められたフォントサイズを基準とし、フォントのメリットが生かされるように使い分けることができる。従って、切り換え後のフォントには見やすいフォントが用いられ、メッセージを見やすくすることができる。
【００９９】
又、表示部１１は複数のメッセージ表示領域８を表示し、フォント切換操作がなされたとき、タッチされた位置に表示されたメッセージ表示領域８のフォントサイズ以下のフォントサイズでメッセージを表示しているメッセージ表示領域８のフォントの種類を切り換える。これにより、フォントを切り換えるメッセージと同等以下のサイズの他のメッセージもあわせてフォントを切り換えることができる。従って、メッセージのサイズを基準としてフォントを変えるメッセージ表示領域８と変えないメッセージ表示領域８を選択することができる。
【０１００】
又、表示部１１は複数のメッセージ表示領域８を表示し、フォント切換操作がなされたとき、表示している複数のメッセージ表示領域８のうち、タッチされた位置に表示されたメッセージ表示領域８のみ、表示に用いるフォントの種類を切り換える。これによりタッチした位置に表示されたメッセージ表示領域８についてのみフォントを変更することができる。
【０１０１】
又、フォント切換操作はタッチパネル部１２をタッチしたまま指を動かす操作であり、フォント切換操作でのタッチされた位置の移動方向を認識する認識部（パネル制御部１０）を含み、表示部１１は複数のメッセージ表示領域８を表示し、認識部（パネル制御部１０）により認識された方向が予め定められた第１方向のとき、タッチされた位置に表示されたメッセージ表示領域８のフォントサイズ以下のフォントサイズでメッセージを表示しているメッセージ表示領域８のフォントの種類を切り換え、認識部（パネル制御部１０）により認識された方向が予め定められた第２方向のとき、表示している複数のメッセージ表示領域８のうち、タッチされた位置に表示されたメッセージ表示領域８のみ、表示に用いるフォントの種類を切り換える。これにより、タッチしたまま指を動かす操作を動かす方向により、フォントを切り換えるメッセージ表示領域８を任意に選択することができる。
【０１０２】
又、表示部１１は、フォント切換操作がなされたとき、画面内の全てのメッセージ表示領域８の表示に用いるフォントの種類を切り換える。これにより、画面内の全てのメッセージ表示領域８で用いられるフォントを１つの操作で全て切り換えることができる。
【０１０３】
又、画像形成装置（複合機１００）は実施形態に係る表示入力装置（操作パネル１）を含む。
従って、使いやすい画像形成装置（複合機１００）を提供することができる。
【０１０４】
本発明の実施形態を説明したが、本発明の範囲はこれに限定されるものではなく、発明の主旨を逸脱しない範囲で種々の変更を加えて実施することができる。
【産業上の利用可能性】
【０１０５】
本発明は、操作パネル１等の表示部１１とタッチパネル部１２を有する表示入力装置や、画像形成装置に利用可能である。
【符号の説明】
【０１０６】
１      操作パネル（表示入力装置）      １０    パネル制御部（認識部）
１１    表示部                          １２    タッチパネル部
１５    メモリー（記憶部）              １５０  フォントデータ
６２    記憶装置（記憶部）              ８      メッセージ表示領域
８ａ    メッセージ表示領域              ８ｂ    メッセージ表示領域
８ｃ    メッセージ表示領域              ８ｄ    メッセージ表示領域
１００  複合機（画像形成装置）
【図１】
0005757911.tif 000002
【図２】
0005757911.tif 000003
【図３】
0005757911.tif 000004
【図４】
0005757911.tif 000005
【図５】
0005757911.tif 000006
【図６】
0005757911.tif 000007
【図７】
0005757911.tif 000008
【図８】
0005757911.tif 000009
【図９】
0005757911.tif 000010
【図１０】
0005757911.tif 000011
【図１１】
0005757911.tif 000012
【図１２】
0005757911.tif 000013